【手続補正書】
【提出日】平成19年5月18日(2007.5.18)
【手続補正１】
【補正対象書類名】明細書
【補正対象項目名】全文
【補正方法】変更
【補正の内容】
【書類名】          明細書
【発明の名称】      バグフィルタ
【特許請求の範囲】
【請求項１】  複数個の袋状フィルタ部材と、前記袋状フィルタ部材の口縁を収容自在とした押し込み溝を有する格子状内枠体と、前記格子状内枠体全体を没入させるための没入溝を有する格子状外枠体からなり、前記格子状内枠体を、押し込み溝に前記袋状フィルタ部材の口縁が押し込まれた状態で、前記格子状外枠体の没入溝に没入させ、前記格子状内枠体の押し込み溝の内周縁と前記格子状外枠体の没入溝の内周面とで前記袋状フィルタ部材の口縁を挟持固定するようにしたことを特徴とするバグフィルタ。
【請求項２】  前記格子状外枠体の没入溝をテーパーを設けた起立片で構成したことを特徴とする請求項１記載のバグフィルタ。
【請求項３】  前記格子状内枠体と格子状外枠体が耐腐食性材質からなることを特徴とする請求項１または２記載のバグフィルタ。
【発明の詳細な説明】
【０００１】
【発明の属する技術分野】
本発明は、袋状フィルタ部材取付用格子状枠体を再使用または再利用することができるバグフィルタに関する。ここで、「再使用」とは洗浄等の処理により放射性同位元素を除去してバグフィルタとして使用することを意味し、「再利用」とはバグフィルタとしては使用しないが、洗浄等の処理により放射性同位元素を除去してその後再資源として別目的に利用することを意味する。
【０００２】
【従来の技術】
従来のバグフィルタ（吹流しフィルタ）は、本出願人が先に出願した実公平６−１６３８４号公報に開示されている通り、可燃性材料からなる袋状フィルタ部材を可燃性材料からなるフィルタ部材取付用格子状枠体の各挟持用桟部で挟持し、かつ、リベット等の合成樹脂製螺子固定具により前記袋状フィルタ部材の口縁を桟部に螺挿して締め付け固定し、さらに、前記フィルタ部材取付用格子状枠体を保護するために、前記フィルタ部材取付用格子状枠体の後方から金属製アタッチメント後枠でこれを被覆し、そして前方から金属製アタッチメント前枠を前記金属製アタッチメント後枠の外周を被覆するように嵌合していた。
上記のバグフィルタは、以上の構成とすることで、金属製アタッチメント前枠及び後枠を除く、袋状フィルタ部材、フィルタ部材取付用格子状枠体、合成樹脂製螺子固定具の全てを焼却することができるものであった。従って、これらを焼却した場合、焼却後の容量を著しく減少でき、放射性廃棄物の廃棄用ドラム缶への収容保管効率が著しく向上した点において優れたものであった。
【０００３】
【発明が解決しようとする課題】
フィルタ部材取付用格子状枠体は、再使用や再利用できることが望ましい。しかしながら、前記袋状フィルタ部材は、前記フィルタ部材取付用格子状枠体にリベット等の合成樹脂製螺子固定具により締め付け固定されているために、バグフィルタを解体した際、前記フィルタ部材取付用格子状枠体に前記フィルタ部材の一部が残ってしまうことがあった。前記袋状フィルタ部材には放射性の塵埃が付着している可能性があるため、前記袋状フィルタ部材が残ったフィルタ部材取付用格子状枠体は、再使用も再利用もできず、焼却せざるを得なかった。
そこで本発明は、バグフィルタの袋状フィルタ部材とフィルタ部材取付用格子状枠体の分離を容易なものとし、フィルタ部材取付用格子状枠体を再使用または再利用することができるようにしたバグフィルタを提供することを目的とする。
【０００４】
【課題を解決するための手段】
本発明は上記の点に鑑みてなされたものであり、本発明のバグフィルタは、請求項1記載の通り、複数個の袋状フィルタ部材と、前記袋状フィルタ部材の口縁を収容自在とした押し込み溝を有する格子状内枠体と、前記格子状内枠体全体を没入させるための没入溝を有する格子状外枠体からなり、前記格子状内枠体を、押し込み溝に前記袋状フィルタ部材の口縁が押し込まれた状態で、前記格子状外枠体の没入溝に没入させ、前記格子状内枠体の押し込み溝の内周縁と前記格子状外枠体の没入溝の内周面とで前記袋状フィルタ部材の口縁を挟持固定するようにしたことを特徴とする。
また、請求項２記載のバグフィルタは、請求項１記載のバグフィルタにおいて、前記格子状外枠体の没入溝をテーパーを設けた起立片で構成したことを特徴とする。
また、請求項３記載のバグフィルタは、請求項１または２記載のバグフィルタにおいて、前記格子状内枠体と格子状外枠体が耐腐食性材質からなることを特徴とする。
【０００５】
【発明の実施の形態】
本発明のバグフィルタは、複数個の袋状フィルタ部材と、前記袋状フィルタ部材の口縁を収容自在とした押し込み溝を有する格子状内枠体と、前記格子状内枠体全体を没入させるための没入溝を有する格子状外枠体からなり、前記格子状内枠体を、押し込み溝に前記袋状フィルタ部材の口縁が押し込まれた状態で、前記格子状外枠体の没入溝に没入させ、前記格子状内枠体の押し込み溝の内周縁と前記格子状外枠体の没入溝の内周面とで前記袋状フィルタ部材の口縁を挟持固定するようにしたことを特徴とするものである。
【０００６】
本発明に使用される袋状フィルタ部材としては、例えば、ガラス繊維、合成繊維またはこれらを組み合わせたフェルトを主材とし、その外面にガラス繊維、合成繊維またはこれらを組み合わせた不織布を外被材として一体に重合したものが挙げられる。
【０００７】
本発明に使用される格子状内枠体と格子状外枠体としては、ステンレスや樹脂等の耐腐食性材質からなり、かつ、表面が平滑であるものが望ましい。耐腐食性材質からなる枠体を使用することにより、その再使用や再利用を複数回にわたって可能ならしめ、表面が平滑であるものを使用することにより、除染作業での放射性の塵埃の効果的な除去を可能ならしめる。これらに点において、耐腐食性材質としてはステンレスが特に望ましい。
【０００８】
押し込み溝に袋状フィルタ部材の口縁が押し込まれた状態の格子状内枠体を格子状外枠体に気密性をもって嵌合させることができるように、格子状外枠体の没入溝は、テーパーを設けた起立片で構成することが望ましい。
【０００９】
【実施例】
本発明のバグフィルタの一実施例を図１乃至図４を用いて説明する。
図１はバグフィルタの一実施例の全体（分解）斜視図、図２はその平面図、図３は図１のIII−III線による断面図、図４は図３のＡ部拡大図である。
本発明のバグフィルタは、複数個の袋状フィルタ部材１と、前記袋状フィルタ部材の口縁を収容自在とした押し込み溝２ａを有する格子状内枠体２と、前記格子状内枠体全体を没入させるための没入溝３ａを有する格子状外枠体３からなる。
図１および図２は複数個のフィルタ部材１が格子状内枠体２と格子状外枠体３とで挟持固定された状態を示す図である。個々の袋状フィルタ部材１の口縁は格子状内枠体２の押し込み溝２ａに押し込まれ、前記格子状内枠体２は、その状態で全体が格子状外枠体３の没入溝３ａに没入されている（図３および図４参照）。これにより、前記格子状内枠体２の押し込み溝２ａの内周縁２ｂと前記格子状外枠体３の没入溝３ａの内周面３ｂとで前記袋状フィルタ部材１の口縁が挟持固定される。
図３および図４に示すように、袋状フィルタ部材の口縁が格子状内枠体と格子状外枠体から容易に抜け落ちて抜けてしまわないように、袋状フィルタ部材の口縁は格子状内枠体の押し込み溝内で外向きに折り返しておくことが望ましい。特に、折り返し部を糸４で平縫いして固定することにより、袋状フィルタ部材の口縁の強度向上と折り返し形状の保持を十分に図ることができる。また、袋状フィルタ部材の口縁を格子状内枠体の押し込み溝の内周縁と格子状外枠体の没入溝の内周面とで挟持固定した際、格子状内枠体と格子状外枠体が気密性を持って勘合することができるように、前記格子状外枠体の没入溝はテーパーを設けた起立片で構成することが望ましい。
格子状内枠体と格子状外枠体を強固に固定する方法としては、板バネで格子状内枠体と格子状外枠体を挟み込んで固定する方法や格子状内枠体に穴を、格子状外枠体に突起を設けておき、両者を係合する方法等がある。特に、所定の位置にビス穴を設けておき、格子状内枠体を格子状外枠体に没入させた後、両者をビス止めすることができるようにすれば、原子力バグフィルタをより強固なものとすることができる。
【００１０】
以上の構成とすることで、リベット等の合成樹脂製螺子固定具などを用いることなく、袋状フィルタ部材を枠体に固定することが可能となる。従って、フィルタを解体する際、袋状フィルタ部材と枠体の分離が容易になり、枠体を再使用または再利用することが可能となる。
【００１１】
【発明の効果】
本発明のバグフィルタは、複数個の袋状フィルタ部材と、前記袋状フィルタ部材の口縁を収容自在とした押し込み溝を有する格子状内枠体と、前記格子状内枠体全体を没入させるための没入溝を有する格子状外枠体からなり、前記格子状内枠体を、押し込み溝に前記袋状フィルタ部材の口縁が押し込まれた状態で、前記格子状外枠体の没入溝に没入させ、前記格子状内枠体の押し込み溝の内周縁と前記格子状外枠体の没入溝の内周面とで前記袋状フィルタ部材の口縁を挟持固定するようにしたので、リベット等の合成樹脂製螺子固定具などを用いることなく、袋状フィルタ部材を枠体に固定することができる。従って、フィルタを解体する際、袋状フィルタ部材と枠体を容易に分離することが可能となり、袋状フィルタ部材のみを放射性廃棄物として廃棄し、枠体は洗浄等の処理後、再使用や再利用することが可能となる。従って、放射性廃棄物の量を低減することができる。さらに、枠体が腐食したり破損したりしてしまい、枠体として再使用や再利用できない場合でも、洗浄等の処理の後、資源ゴミとして再利用することができる。
【図面の簡単な説明】
【図１】  本発明のバグフィルタの一実施例の全体（分解）斜視図。
【図２】  その平面図。
【図３】  図１のIII−III線による断面図。
【図４】  図３のＡ部拡大図。
【符号の説明】
１    袋状フィルタ部材
２    格子状内枠体
２ａ  押し込み溝
２ｂ  内周縁
３    格子状外枠体
３ａ  没入溝
３ｂ  内周面
４    糸